【手続補正書】
【提出日】平成16年9月24日(2004.9.24)
【手続補正１】
【補正対象書類名】明細書
【補正対象項目名】発明の名称
【補正方法】変更
【補正の内容】
【発明の名称】機能性素子基板及び画像表示装置
【手続補正２】
【補正対象書類名】明細書
【補正対象項目名】特許請求の範囲
【補正方法】変更
【補正の内容】
【特許請求の範囲】
【請求項１】
基板上の複数個の１対の素子電極と、各１対の素子電極間に機能性材料を含有する溶液の液滴を噴射付与され、機能性素子群を形成された機能性素子基板において、前記機能性素子群が形成されている領域の外側に１対の素子電極を形成するとともに、該素子電極間に前記機能性材料を含有する溶液の液滴を噴射付与することにより、前記機能性素子群の性能チェックを代わりに行うために電圧印加を行うためのパターンを形成したことを特徴とする機能性素子基板。
【請求項２】
前記基板は２００ｍｍ×２００ｍｍより大きい基板であって、前記パターンを複数個設けたことを特徴とする請求項１に記載の機能性素子基板。
【請求項３】
前記パターンは前記機能性素子と同じ構造としたことを特徴とする請求項１もしくは２に記載の機能性素子基板。
【請求項４】
請求項１から３のいずれか１の機能性素子基板と、この機能性素子基板に対向して配置されたカバープレートとを有することを特徴とする画像表示装置。
【請求項５】
基板上の複数個の１対の素子電極と、各１対の素子電極間に機能性材料を含有する溶液の液滴を噴射付与され、機能性素子群を形成された機能性素子基板において、前記機能性素子群が形成されている領域の外側に前記複数個の１対の素子電極とは別の第２の複数個の１対の素子電極を設けるとともに、複数個の１対の素子電極間に機能性材料を含有する溶液の液滴を噴射付与することにより、第２の機能性素子群を形成された機能性素子基板であって、該機能性素子基板と、この機能性素子基板に対向して配置されたカバープレートとを有する画像表示装置において、前記第２の機能性素子群を機能性素子基板ごとに異なる信号情報を入力して駆動し、前記画像表示装置で表示を行い、前記画像表示装置を画像表示装置ごとに区別可能としたことを特徴とする画像表示装置。
【請求項６】
基板上の複数個の１対の素子電極と、各１対の素子電極間に機能性材料を含有する溶液の液滴を噴射付与され、機能性素子群を形成された機能性素子基板において、前記機能性素子群が形成されている領域の外側に溶液の液滴を噴射付与することにより、前記機能性素子基板を基板ごと、もしくは複数の基板群ごとに区別可能としたパターンを形成したことを特徴とする機能性素子基板。
【請求項７】
請求項６の機能性素子基板と、この機能性素子基板に対向して配置されたカバープレートとを有することを特徴とする画像表示装置。
【手続補正３】
【補正対象書類名】明細書
【補正対象項目名】０００５
【補正方法】変更
【補正の内容】
【０００５】
【発明が解決しようとする課題】
本発明は、吐出装置を用いて機能性材料の膜形成を行うことによって形成される機能性素子基板の製造装置、またその機能性素子基板ならびにそれを用いた画像表示装置に関するものであり、
その第１の目的は、このような機能性素子群を有する機能性素子基板の性能チェックを行えるようにすることにある。
また第２の目的は、このような機能性素子基板を用いた画像表示装置を提案することにある。
さらに第３の目的は、このような機能性素子基板を基板ごと又は基板群ごとに区別可能とすること、更には、製作後の画像表示装置を各々区別できるようにすることにある。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
【課題を解決するための手段】
本発明は、前記目的を達成するために、
第１に、基板上の複数個の１対の素子電極と、各１対の素子電極間に機能性材料を含有する溶液の液滴を噴射付与され、機能性素子群を形成された機能性素子基板において、前記機能性素子群が形成されている領域の外側に１対の素子電極を形成するとともに、該素子電極間に前記機能性材料を含有する溶液の液滴を噴射付与することにより、前記機能性素子群の性能チェックを代わりに行うために電圧印加を行うためのパターンを形成するようにしたものである。
【手続補正７】
【補正対象書類名】明細書
【補正対象項目名】０００９
【補正方法】変更
【補正の内容】
【０００９】
第２に、上記第１の機能性素子基板において、前記基板は２００ｍｍ×２００ｍｍより大きい基板であって、前記パターンを複数個設けたようにしたものである。
第３に、上記第１もしくは２の機能性素子基板において、前記パターンは前記機能性素子と同じ構造としたものである。
第４に、上記第１から３のいずれか１の機能性素子基板と、この機能性素子基板に対向して配置されたカバープレートとを有するような画像表示装置としたものである。
【手続補正８】
【補正対象書類名】明細書
【補正対象項目名】００１０
【補正方法】変更
【補正の内容】
【００１０】
第５に、基板上の複数個の１対の素子電極と、各１対の素子電極間に機能性材料を含有する溶液の液滴を噴射付与され、機能性素子群を形成された機能性素子基板において、前記機能性素子群が形成されている領域の外側に前記複数個の１対の素子電極とは別の第２の複数個の１対の素子電極を設けるとともに、複数個の１対の素子電極間に機能性材料を含有する溶液の液滴を噴射付与することにより、第２の機能性素子群を形成された機能性素子基板であって、該機能性素子基板と、この機能性素子基板に対向して配置されたカバープレートとを有する画像表示装置において、前記第２の機能性素子群を機能性素子基板ごとに異なる信号情報を入力して駆動し、前記画像表示装置で表示を行い、前記画像表示装置を画像表示装置ごとに区別可能としたものである。
第６に、基板上の複数個の１対の素子電極と、各１対の素子電極間に機能性材料を含有する溶液の液滴を噴射付与され、機能性素子群を形成された機能性素子基板において、前記機能性素子群が形成されている領域の外側に溶液の液滴を噴射付与することにより、前記機能性素子基板を基板ごと、もしくは複数の基板群ごとに区別可能としたパターンを形成したものである。
第７に、上記第６の機能性素子基板と、この機能性素子基板に対向して配置されたカバープレートとを有するようにしたものである。
【手続補正９】
【補正対象書類名】明細書
【補正対象項目名】００６６
【補正方法】変更
【補正の内容】
【００６６】
【発明の効果】
請求項１に対応した効果
基板上の複数個の１対の素子電極と、各１対の素子電極間に機能性材料を含有する溶液の液滴を噴射付与され、機能性素子群を形成された機能性素子基板において、前記機能性素子群が形成されている領域の外側に１対の素子電極を形成するとともに、該素子電極間に前記機能性材料を含有する溶液の液滴を噴射付与することにより、前記機能性素子群の性能チェックを代わりに行うために電圧印加を行うためのパターンを形成したので、機能性素子基板製作後にこのパターン部を用いて性能チェックを実施することが可能となり、機能性素子群のチェックを行うことなく、このパターン部で性能チェックを行うことができ、非常に効率が良い。
また、最終的に画像表示装置まで完成させる以前に、このパターン部で機能性素子基板として性能チェックを行うことができるので、非常に効率が良い。
【手続補正１０】
【補正対象書類名】明細書
【補正対象項目名】００６７
【補正方法】変更
【補正の内容】
【００６７】
請求項２に対応した効果
基板の大きさを２００ｍｍ×２００ｍｍより大きくするとともに、性能チェック用のパターンを複数個設けるようにしたので、基板上に広範囲にわたって製作された機能性素子全体の品質を一定の品質に確保することができる。
請求項３に対応した効果
性能チェック用パターンの構造を機能性素子と同じ構造としたので、より確実なチェックができる。
請求項４に対応した効果
効率よく製造されたり、製造途中で効率よく性能チェックがなされたりする機能性素子基板であるので、高性能かつ低コストの機能性素子基板が得られ、それを画像表示装置に使用するようにしたので、高性能かつ低コストの画像表示装置が得られるようになった。
【手続補正１１】
【補正対象書類名】明細書
【補正対象項目名】００６８
【補正方法】変更
【補正の内容】
【００６８】
請求項５に対応した効果
基板上の複数個の１対の素子電極と、各１対の素子電極間に機能性材料を含有する溶液の液滴を噴射付与され、機能性素子群を形成された機能性素子基板において、前記機能性素子群が形成されている領域の外側に前記複数個の１対の素子電極とは別の第２の複数個の１対の素子電極を設けるとともに、複数個の１対の素子電極間に機能性材料を含有する溶液の液滴を噴射付与することにより、第２の機能性素子群を形成された機能性素子基板であって、該機能性素子基板と、この機能性素子基板に対向して配置されたカバープレートとを有する画像表示装置において、前記第２の機能性素子群を機能性素子基板ごとに異なる信号情報を入力して駆動し、前記画像表示装置で表示を行い、前記画像表示装置を画像表示装置ごとに区別可能としたので、製作後の画像表示装置ごとに区別可能としたパターンや製造番号（シリアルナンバー）等を画像表示することができ、製作後の画像表示装置が容易に区別できるようになった。特に製造番号を画像表示することにより、従来のように後から別の装置で刻印したりする必要もなく非常に効率が良い。
【手続補正１２】
【補正対象書類名】明細書
【補正対象項目名】００６９
【補正方法】変更
【補正の内容】
【００６９】
請求項６に対応した効果
基板上の複数個の１対の素子電極と、各１対の素子電極間に機能性材料を含有する溶液の液滴を噴射付与され、機能性素子群を形成された機能性素子基板において、前記機能性素子群が形成されている領域の外側に溶液の液滴を噴射付与することにより、前記機能性素子基板を基板ごと、もしくは複数の基板群ごとに区別可能としたパターンを形成したので、このような機能性素子基板を基板ごと又は基板群ごとに区別可能とすることができる。
【手続補正１３】
【補正対象書類名】明細書
【補正対象項目名】００７０
【補正方法】変更
【補正の内容】
【００７０】
請求項７に対応した効果
基板ごと又は基板群ごとに区別可能な機能性素子基板を用いて画像表示装置を構成したので、製作後の画像表示装置を各々区別することができる。